(57)【特許請求の範囲】
【請求項１】
板状のケーブル本体と、前記ケーブル本体の面領域に設けられる端子部と、前記ケーブル本体の端部領域に設けられる補強板と、前記ケーブル本体よりも幅広で前記ケーブル本体の面領域から離反する方向に前記補強板から突出する係合突起とを有する板状ケーブルを装着し、基板上に配置される板状ケーブル用コネクタであって、
前記基板に対し略平行に向けられる上面部と、前記上面部における対向する二辺のそれぞれから前記基板に交差する向きに延びる第１側部及び第２側部とを有して中空をなし、前記上面部に開口して前記ケーブル本体の通過を許容する上面開口部と、前記上面開口部に連なって前記第１側部に開口し前記補強板のスライド移動を許容する先端側開口部と、前記上面開口部に連なって前記第２側部に開口し前記ケーブル本体のスライド移動を許容する延在側開口部とが設けられるハウジングと、
前記ハウジングの内底側に配置され、前記端子部に接触するコンタクトと、
前記ハウジングに設けられ、前記第２側部側に動こうとする前記補強板の係合突起に干渉する係合受部と、
前記ハウジングに設けられ、前記ハウジング内に位置し前記上面部側に動こうとする前記補強板に干渉する抜止部と、
を備える板状ケーブル用コネクタ。
【請求項２】
前記コンタクトは、前記第１側部側で前記基板に接続される、
請求項１記載の板状ケーブル用コネクタ。
【発明の詳細な説明】
【技術分野】
【０００１】
本発明は、フレキシブルプリントサーキット（Ｆｌｅｘｉｂｌｅ  Ｐｒｉｎｔｅｄ  Ｃｉｒｃｕｉｔ、ＦＰＣ）ケーブル等の板状ケーブルの接続に用いる板状ケーブル用コネクタに関する。
【背景技術】
【０００２】
特許文献１には、インシュレータ１の上面およびＦＰＣケーブル４延在側の側面部を開口し、インシュレータ１の開口部両端側にＦＰＣケーブル４を開口部内に係止するためのフック３を設けた板状ケーブル用コネクタが記載されている。特許文献１によれば、板状ケーブル用コネクタの開口部内にＦＰＣケーブル４を落とし込むと、ＦＰＣケーブル４の上面に一体的に貼り付けられた補強板の両端がフック３を押し広げてＦＰＣケーブル４が通過し、ＦＰＣケーブル４が開口部内に収容されてコンタクト２に接続され、フック３が弾性復帰してフック３がＦＰＣケーブル４とコンタクト２との接続状態を保持する、とされる。
【先行技術文献】
【特許文献】
【０００３】
【特許文献１】実用新案登録第２５７１８２６号公報
【発明の概要】
【発明が解決しようとする課題】
【０００４】
特許文献１に記載の板状ケーブル用コネクタでは、上面に開口部が設けられ、開口部両端側にフックを設けられて、ＦＰＣケーブル４を垂直方向に簡易に装着できるようにし、さらに、ＦＰＣケーブル４の垂直方向への抜けの防止がなされている。
【０００５】
しかしながら、この種の板状ケーブル用コネクタには、小型化及び低背化が求められる。この点、特許文献１に記載の板状ケーブル用コネクタは、フック３がケーブル４の厚み方向に延びていて、低背化が難しい。
【０００６】
本発明は、上記の点を鑑みてなされたものであり、板状ケーブルを容易かつ確実に装着でき、低背化を図ることができる板状ケーブル用コネクタを提供することを目的とする。
【課題を解決するための手段】
【０００７】
本発明の板状ケーブル用コネクタは、板状のケーブル本体と、前記ケーブル本体の面領域に設けられる端子部と、前記ケーブル本体の端部領域に設けられる補強板と、前記ケーブル本体よりも幅広で前記ケーブル本体の面領域から離反する方向に前記補強板から突出する係合突起とを有する板状ケーブルを装着し、基板上に配置される板状ケーブル用コネクタであって、前記基板に対し略平行に向けられる上面部と、前記上面部における対向する二辺のそれぞれから前記基板に交差する向きに延びる第１側部及び第２側部とを有して中空をなし、前記上面部に開口して前記ケーブル本体の通過を許容する上面開口部と、前記上面開口部に連なって前記第１側部に開口し前記補強板のスライド移動を許容する先端側開口部と、前記上面開口部に連なって前記第２側部に開口し前記ケーブル本体のスライド移動を許容する延在側開口部とが設けられるハウジングと、前記ハウジングの内底側に配置され、前記端子部に接触するコンタクトと、前記ハウジングに設けられ、前記第２側部側に動こうとする前記補強板の係合突起に干渉する係合受部と、前記ハウジングに設けられ、前記ハウジング内に位置し前記上面部側に動こうとする前記補強板に干渉する抜止部と、を備える。
【発明の効果】
【０００８】
本発明の板状ケーブル用コネクタによれば、第１側部側に補強板を位置させて板状ケーブルを上面開口部に通過させ板状ケーブルを第２側部側に引っ張ると、補強板が抜止部とコンタクトとに挟まれ、係合突起が係合受部に引っかかる。したがって、板状ケーブルを容易かつ確実に装着できる。また、補強板が抜止部とコンタクトとに挟まれるので、特許文献１に記載のフック３を設ける必要がなく、低背化を図ることができる。
【図面の簡単な説明】
【０００９】
【図１】第一の実施の形態における、板状ケーブル用コネクタの斜視図である。
【図２】第一の実施の形態における、平面側から見たＦＰＣケーブルの斜視図である。
【図３】第一の実施の形態における、背面側から見たＦＰＣケーブルの斜視図である。
【図４】第一の実施の形態における、ＦＰＣケーブルが装着された状態にある板状ケーブル用コネクタの斜視図である。
【図５】第一の実施の形態における、図１に見える側とは異なる側の板状ケーブル用コネクタの斜視図である。
【図６】第一の実施の形態における、板状ケーブル用コネクタの平面図である。
【図７】第一の実施の形態における、板状ケーブル用コネクタの底面図である。
【図８】第一の実施の形態における、板状ケーブル用コネクタの正面図である。
【図９】第一の実施の形態における、図６のＰ矢視図である。
【図１０】第一の実施の形態における、板状ケーブル用コネクタの背面図である。
【図１１】第一の実施の形態における、上面開口部からＦＰＣケーブルを通過させた状態を示す板状ケーブル用コネクタの斜視図である。
【図１２】第二の実施の形態における、板状ケーブル用コネクタの平面図である。
【発明を実施するための形態】
【００１０】
実施の一形態を、図１ないし図１１に基づいて説明する。説明の便宜上、本実施の形態を第一の実施の形態と呼ぶ。
【００１１】
図１は、板状ケーブル用コネクタ１０１の斜視図である。板状ケーブル用コネクタ１０１は、基板２０１（図４参照）に配置され、ホールドダウン部１０２Ａがリフロー半田付け等によって固定されている。板状ケーブル用コネクタ１０１は、板状ケーブルとしてのＦＰＣケーブル３０１（図２、図３参照）を装着でき、ＦＰＣケーブル３０１内のフレキシブル配線３０２（図３参照）と基板２０１上のプリント配線２０２（図４参照）とを電気的に接続するものである。
【００１２】
図２は、平面側から見たＦＰＣケーブル３０１の斜視図である。図３は、背面側から見たＦＰＣケーブル３０１の斜視図である。図２及び図３を参照する。ＦＰＣケーブル３０１は、ケーブル本体３０３を有する。ケーブル本体３０３は、可撓性を有する素材で形成され、板状をなしている。ケーブル本体３０３の端部には、幅広部３０３Ａが形成されている。幅広部３０３Ａは、ケーブル本体３０３の幅方向両部において外側に突出する。ケーブル本体３０３には、複数本のフレキシブル配線３０２が形成されている。これらのフレキシブル配線３０２は、ケーブル本体３０３の幅方向に略等間隔に並び、いずれもケーブル本体３０３の長さ方向に延びている。各フレキシブル配線３０２の端部には、矩形状の端子部３０２Ａが設けられる。端子部３０２Ａは、幅広部３０３Ａ内もしくはこの近傍に配置され、ケーブル本体３０３の一方の面（第１面３０３Ｂ）に露出している。この第１面３０３Ｂは、図３において視認できるケーブル本体３０３の一方の面をいう。この第１面３０３Ｂ及び後述する第２面３０３Ｃは、特許請求の範囲で言うところの「ケーブル本体の面領域」に対応する。
【００１３】
図２において視認できるケーブル本体３０３の他方の面を、第２面３０３Ｃと呼ぶ。第２面３０３Ｃの端部領域には、補強板３０４が取付けられる。補強板３０４は、ケーブル本体３０３よりも硬く、このケーブル本体３０３と同等又はこれよりも厚い板状の素材で形成される。補強板３０４は、平面視において、ケーブル本体３０３の幅方向に長い矩形形状に見える。補強板３０４の長手方向の両端部は、幅広部３０３Ａ上に位置している。
【００１４】
補強板３０４におけるケーブル本体３０３の端辺３０３Ｄ側の領域には、係合突起３０４Ｅがある。この係合突起３０４Ｅは、ケーブル本体３０３の面領域から離反する方向に突出している。一例として、係合突起３０４Ｅは、補強板３０４におけるケーブル本体３０３の端辺３０３Ｄ側の領域を、ケーブル本体３０３の幅方向に延びる折り線に沿って、補強板３０４の全幅にわたって折り曲げることで形成される。このように係合突起３０４Ｅを補強板３０４の全幅にわたって設けることで、補強板３０４のＦＰＣケーブル３０１幅方向の反りが抑制され、ケーブル本体３０３の中央部に位置する端子部３０２Ａの接触状態を良好なものとすることができる。補強板３０４の折り曲げは、折り目を付けずに、アール状に曲げることで係合突起３０４Ｅを形成しても良い。別の一例として、係合突起３０４Ｅと補強板３０４とが直交するように、係合突起３０４Ｅと補強板３０４とを樹脂で成型してもよい。
【００１５】
なお、補強板３０４を導電性金属板で形成することにより、外来電磁ノイズに対するこの部分のシールド性を向上させることができる。
【００１６】
図４は、ＦＰＣケーブル３０１が装着された状態にある板状ケーブル用コネクタ１０１の斜視図である。板状ケーブル用コネクタ１０１のハウジング１０２は、扁平の略直方体状をなしていて、平面視において略矩形状に見え、中空である。ハウジング１０２は、上面と図４の紙面左下側に見える端面とこれとは反対側にあるもう一方の端面とにかけて連なっている開口を形成している。ＦＰＣケーブル３０１を板状ケーブル用コネクタ１０１に装着する場合、作業者は、ＦＰＣケーブル３０１の補強板３０４を図４の紙面左下側に見える端面側に位置付けてＦＰＣケーブル３０１をハウジング１０２の開口へ通過させた後、ＦＰＣケーブル３０１をケーブル本体３０３の延在方向（図４に示す矢印Ｋの方向）に引っ張る。これにより、補強板３０４はスライド移動してハウジング１０２内に入り込む。そして、ハウジング１０２に設けられた抜止部１０３に係合突起３０４Ｅが引っ掛かり、抜止部１０３とコンタクト１０５とが補強板３０４を挟み込むことで、ＦＰＣケーブル３０１は板状ケーブル用コネクタ１０１に固定される。このとき、コンタクト１０５がＦＰＣケーブル３０１の端子部３０２Ａ（図３も参照）に接触して、ＦＰＣケーブル３０１内のフレキシブル配線３０２（図３も参照）と基板２０１上のプリント配線２０２とが電気的に接続され、電気信号の伝達が可能になる。ＦＰＣケーブル３０１を板状ケーブル用コネクタ１０１から取り外す場合、作業者は、補強板３０４を図４の紙面左下側に見える端面側（矢印Ｋとは反対の方向）に押し出す。
【００１７】
図５は、図１に見える側とは異なる側の板状ケーブル用コネクタ１０１の斜視図である。図６は、板状ケーブル用コネクタ１０１の平面図である。図７は、板状ケーブル用コネクタ１０１の底面図である。図８は、板状ケーブル用コネクタ１０１の正面図である。図９は、図６のＰ矢視図である。図１０は、板状ケーブル用コネクタ１０１の背面図である。図１、図５、図６、図７、図８、図９及び図１０を参照し、板状ケーブル用コネクタ１０１の構造の詳細について述べる。
【００１８】
板状ケーブル用コネクタ１０１は、ハウジング１０２とコンタクト１０５とを有する。ハウジング１０２は、ホールドダウン部１０２Ａと樹脂部１０２Ｂとにより構成される。ホールドダウン部１０２Ａは、板金をプレス加工して形成される。樹脂部１０２Ｂは、並列に並べられたコンタクト１０５の一部を樹脂で埋設し、ホールドダウン部１０２Ａとともに一体成型により形成される。なお、別の実施の形態として、図１等に示す形状のホールドダウン部１０２Ａとは異なる形状に、板金を用いて形成されたホールドダウン部を用いて樹脂成形をし、板金部分と樹脂部分とを併せた結果として、図１等に示すハウジング１０２を成形してもよい。
【００１９】
ハウジング１０２は、上面部１１１と、第１側部１１２と、第２側部１１３と、底面部１１４とを有して中空をなしている。板状ケーブル用コネクタ１０１を基板２０１（図４参照）に固定するためのハンダや接着剤の塗布は、底面部１１４の底面側であってホールドダウン部１０２Ａにより構成される領域（図７において斜線で示す領域）に対してなされる。板状ケーブル用コネクタ１０１が基板２０１に固定されると、上面部１１１は基板２０１に対し略平行に向く。また、このとき、第１側部１１２と第２側部１１３とは、上面部１１１における対向する二つの長辺１１１Ａ、１１１Ｂ（図１のみに示す）のそれぞれから基板２０１に交差する向き（好ましくは略直交する向き）に延びている（図３参照）。
【００２０】
ハウジング１０２には、上面開口部１２１と、先端側開口部１２２と、延在側開口部１２３とが設けられる。
【００２１】
上面開口部１２１は、上面部１１１に開口し、板状ケーブル用コネクタ１０１の上下方向の通過を許容する形状に形成される。即ち、上面開口部１２１の幅寸法は、少なくともケーブル本体３０３の幅寸法と同等又はこれよりも大きい（図４及び図１１参照）。
【００２２】
先端側開口部１２２は、上面開口部１２１に連なっていて、第１側部１１２に開口している。先端側開口部１２２は、補強板３０４の、第１側部１１２と第２側部１１３とを結ぶ方向に向けて底面部１１４と略平行に動くスライド移動を許容する形状に開口している。即ち、先端側開口部１２２の幅寸法は補強板３０４の幅寸法と同等又はこれよりも大きく、先端側開口部１２２の高さ寸法は補強板３０４の厚さと同等又はこれよりも大きい。また、先端側開口部１２２の周囲部分１２２Ａは面取りされていて、作業者が補強板３０４を先端側開口部１２２に導入しやすくなっている。
【００２３】
延在側開口部１２３は、上面開口部１２１に連なっていて、第２側部１１３に開口している。延在側開口部１２３は、ケーブル本体３０３が、第１側部１１２と第２側部１１３とを結ぶ方向に向けて底面部１１４と略平行に動かすケーブル本体３０３のスライド移動を許容する形状に開口している。即ち、延在側開口部１２３の幅寸法はケーブル本体３０３の幅寸法と同等又はこれよりも大きく、延在側開口部１２３の高さ寸法はケーブル本体３０３の厚さと同等又はこれよりも大きい。
【００２４】
ハウジング１０２の底面部１１４には、中央開口部１２４と、サイド開口部１２５とが形成されている。中央開口部１２４及びサイド開口部１２５は、いずれも、樹脂の一体成形を行う際のアンダーカットへの対応として形成されているものである。樹脂成形の際、中央開口部１２４とサイド開口部１２５との間には、補強体支持部１２７が形成される。補強体支持部１２７は、第１側部１１２側と第２側部１１３側とを結ぶ方向に延びる長尺をなし、底面部１１４の上面と面一をなしている。
【００２５】
コンタクト１０５は、ハウジング１０２の内底側に配置され、ハウジング１０２の幅方向に複数並ぶ。いずれのコンタクト１０５も、そのコンタクト１０５の中腹の一部分（図６に符号１０５Ａで示す部分）が樹脂部１０２Ｂの第１側部１１２側の領域に埋設されている。コンタクト１０５の個数及び位置は、ＦＰＣケーブル３０１に設けられる端子部３０２Ａの個数及び位置（図３参照）に対応する。コンタクト１０５は、樹脂部１０２Ｂにより形成される底面部１１４より第１側部１１２側に突出して基板２０１に接続される基板接続部１０５Ｂと、底面部１１４より上方かつ第２側部１１３側に突出して中央開口部１２４の上方に位置する弾性変形部１０５Ｃとを有する。弾性変形部１０５Ｃには、補強板３０４を先端側開口部１２２からスライド挿入させることでハウジング１０２内に位置付けられたＦＰＣケーブル３０１の端子部３０２Ａ（図３参照）が接触する。
【００２６】
図１、図２、図３、図８及び図９を参照する。ハウジング１０２に設けられる抜止部１０３は、上面部１１１と平行に板状ケーブル用コネクタ１０１の幅方向に延びて板状ケーブル用コネクタ１０１の内側方向に迫り出し、上面部１１１の上面と面一をなしている。抜止部１０３は、ハウジング１０２内に位置する補強板３０４の上面に干渉して、補強板３０４が上面部１１１側に動こうとすることを防ぐ。
【００２７】
抜止部１０３における第１側部１１２側の端面は、係合受部１０４である。係合受部１０４は、第２側部１１３側に動こうとする補強板３０４の係合突起３０４Ｅに干渉し、ハウジング１０２内に位置してそこからさらに第２側部１１３側に動こうとする補強板３０４が延在側開口部１２３から脱落することを防ぐ。
【００２８】
図１１は、上面開口部１２１からＦＰＣケーブル３０１を通過させた状態を示す板状ケーブル用コネクタ１０１の斜視図である。図１１では、ＦＰＣケーブル３０１は一点鎖線で示されている。ＦＰＣケーブル３０１を板状ケーブル用コネクタ１０１に装着する場合、作業者は、ＦＰＣケーブル３０１の補強板３０４とケーブル本体３０３とを持って、この補強板３０４を板状ケーブル用コネクタ１０１の第１側部１１２側に位置付ける。続いて、作業者は、ＦＰＣケーブル３０１を第１側部１１２から第２側部１１３に向かう方向に動かして、ケーブル本体３０３をスライド移動して板状ケーブル用コネクタ１０１の上面開口部１２１に通過させ、ケーブル本体３０３を板状ケーブル用コネクタ１０１の底面部１１４（図５、図８等参照）に沿って動かす。このとき、ケーブル本体３０３は、ハウジング１０２の内部から延在側開口部１２３を通過し、第２側部１１３側に延在する。
【００２９】
図４を参照する。続いて、作業者は、補強板３０４とケーブル本体３０３とをともに矢印Ｋの方向（第１側部１１２から第２側部１１３に向かう方向）に引っ張って、補強板３０４をスライド移動させて先端側開口部１２２に通過させ、補強板３０４を抜止部１０３の下方に滑りこませる。このとき、補強板３０４の下面は、コンタクト１０５の弾性変形部１０５Ｃにおける根元側の部分に接触し、その後に、コンタクト１０５の弾性変形部１０５Ｃに押し上げられて、補強板３０４がコンタクト１０５と抜止部１０３とに挟まれる。
【００３０】
作業者は、係合突起３０４Ｅが係合受部１０４（図１等参照）に突き当たるまで補強板３０４を第２側部１１３側に動かす。これにより、コンタクト１０５の弾性変形部１０５ＣがＦＰＣケーブル３０１の端子部３０２Ａに接触し、補強板３０４が抜止部１０３とコンタクト１０５とに接触して安定する。ここで、このとき、補強板３０４は補強体支持部１２７に支持されるため、作業者が補強板３０４を下方に押し込んでも補強板３０４は補強体支持部１２７に受け止められ、コンタクト１０５が変形してしまうほどに力がコンタクト１０５にかかることを防ぐことができる。
【００３１】
このように、本実施の形態の板状ケーブル用コネクタ１０１には、ＦＰＣケーブル３０１を容易かつ確実に装着できる。また、補強板３０４が抜止部１０３とコンタクト１０５とに挟まれて安定するので、低背化も図ることができる。
【００３２】
また、本実施の形態の板状ケーブル用コネクタ１０１では、図４に示すように、ＦＰＣケーブル３０１内のフレキシブル配線３０２と基板２０１上のプリント配線２０２とが対面することが無い。このため、フレキシブル配線３０２とプリント配線２０２とを伝って電気信号が流れるときに、これらの外周に発生する磁界が電気信号に影響を及ぼさず、特に高い周波数の電気信号の場合、エラー発生が生じにくい。
【００３３】
実施の別の一形態を、図１２に基づいて説明する。説明の便宜上、本実施の形態を第二の実施の形態と呼ぶ。この場合、第一の実施の形態と同一の部分には同一の符号を付し、説明を省略する。
【００３４】
図１２は、板状ケーブル用コネクタ１０１の平面図である。本実施の形態では、コンタクト１０５は、第一の実施の形態とは逆向きに取り付けられている。すなわち、いずれも、そのコンタクト１０５の中腹の一部分が樹脂部１０２Ｂの第２側部１１３側の領域に埋設されていて、基板接続部１０５Ｂが樹脂部１０２Ｂにより形成される底面部１１４より第２側部１１３側に突出して基板２０１に接続されており、弾性変形部１０５Ｃが底面部１１４より上方かつ第１側部１１２側に突出して中央開口部１２４の上方に位置している。
【００３５】
本実施の形態でも、ＦＰＣケーブル３０１（図２、図３等参照）を板状ケーブル用コネクタ１０１に装着する場合、作業者は、図１１に基づいて説明したのと同様に、ＦＰＣケーブル３０１の補強板３０４（図２、図３等参照）を板状ケーブル用コネクタ１０１の第１側部１１２側に位置付け、ケーブル本体３０３（図２、図３等参照）を板状ケーブル用コネクタ１０１の上面開口部１２１に通過させ、ケーブル本体３０３を板状ケーブル用コネクタ１０１の底面部１１４に沿って動かす。このとき、ケーブル本体３０３は、ハウジング１０２の内部から延在側開口部１２３を通過し、第２側部１１３側に延在する。続いて、作業者は、補強板３０４とケーブル本体３０３とをともに第１側部１１２から第２側部１１３に向かう方向に引っ張って、補強板３０４をスライド移動させて先端側開口部１２２に通過させ、補強板３０４を抜止部１０３の下方に滑りこませる。このとき、補強板３０４の下面は、コンタクト１０５の弾性変形部１０５Ｃの先端部分に接触した後に、コンタクト１０５を押し下げる。作業者は、係合突起３０４Ｅ（図２、図３等参照）が係合受部１０４に突き当たるまで補強板３０４を第２側部１１３側に動かし、コンタクト１０５の弾性変形部１０５ＣをＦＰＣケーブル３０１の端子部３０２Ａに接触させ、補強板３０４を抜止部１０３とコンタクト１０５とに接触させて安定させる。
【００３６】
このように、本実施の形態の板状ケーブル用コネクタ１０１においても、ＦＰＣケーブル３０１を簡易に装着できる。また、補強板３０４が抜止部１０３とコンタクト１０５とに挟まれて安定し、低背化も図ることができる。
【符号の説明】
【００３７】
１０１    板状ケーブル用コネクタ
１０２    ハウジング
１０３    抜止部
１０４    係合受部
１０５    コンタクト
１１１    上面部
１１１Ａ、１１１Ｂ  長辺（上面部における対向する二辺）
１１２    第１側部
１１３    第２側部
１２１    上面開口部
１２２    先端側開口部
１２３    延在側開口部
２０１    基板
３０１    ＦＰＣケーブル（板状ケーブル）
３０２Ａ  端子部
３０３    ケーブル本体
３０３Ｂ  ケーブル本体の第１面（ケーブル本体の面領域）
３０３Ｃ  ケーブル本体の第２面（ケーブル本体の面領域）
３０４    補強板
３０４Ｅ  係合突起
【図１】
0005459266.tif 000002
【図２】
0005459266.tif 000003
【図３】
0005459266.tif 000004
【図４】
0005459266.tif 000005
【図５】
0005459266.tif 000006
【図６】
0005459266.tif 000007
【図７】
0005459266.tif 000008
【図８】
0005459266.tif 000009
【図９】
0005459266.tif 000010
【図１０】
0005459266.tif 000011
【図１１】
0005459266.tif 000012
【図１２】
0005459266.tif 000013